(57)【特許請求の範囲】
【請求項１】
偏平な箱形に形成されている筺体であって、上下の各板部と左右の各側板部とを有し、前端部分には必要極数の端子を備えたボディが組み付けられ、後端には、前端片側のコーナ部分が湾曲面に形成されかつ片側辺部に凹入部が形成されているカードの挿入口が形成されている筺体と、
上記筺体内の片側にカード挿入方向の前後方向にスライド可能に収容され、上記ボディとの間に介在されたコイルばねによって後退方向に向けて常時弾発付勢されて、上記筺体の片側の側板部に形成された突片に当たることによって待機位置に位置決めされるスライダであって、筐体の挿入口から挿入されたカードの湾曲面が係合する係合面を有し、カードの挿入によりコイルばねの弾発付勢力に抗して待機位置からカードセット位置に対応する前進位置に押し込まれる一方、カードセット位置に挿入されているカードを排出するときに、コイルばねの弾発付勢力によって前進位置から待機位置に後退するスライダと、
上記スライダにカードをハーフロック及びフルロックするカードロック機構であって、上記スライダに左右方向に貫通して備わる孔部に左右方向出退自在に嵌合され、孔部に具備された段付部と突出方向で係止する段付部が具備されると共に、カードの凹入部に嵌入する山形先端面が備わり、後端には凹溝が備わっている可動体と、上記筺体の片側の側板部に内向きに切起こし形成され、スライダが待機位置に位置しているときに上記可動体の凹溝に嵌り込んでその可動体を筺体の内方側へ弾発付勢し、スライダの孔部の段付部に可動体の段付部が係合してスライダの孔部から筺体の内方側へ可動体の山形先端面が突出する位置にその可動体を位置決めするばね片と、上記筺体の片側の側板部に外側に膨らみ出して形成されて上記ばね片の外側に位置する逃げ部と、上記スライダが前進位置に位置しているときに可動体の後端が対向する筺体の側板部の板面によって形成されている支持部とで構成され、スライダが待機位置に位置しているときに、筐体の挿入口から挿入されたカードの湾曲面が、可動体をばね片の弾発付勢力に抗してスライダの孔部に押し込みながらその可動体を乗り越えてスライダの係合面に係合したとき、カードの凹入部の中に、ばね片の弾発付勢力によって可動体の山形先端面が嵌入することによって、カードを後方へ引っ張ると、カードが可動体をばね片の弾発付勢力に抗してスライダの孔部に押し込みながら後退してカードの凹入部が可動体の山形先端面から抜け出て、カードを引き抜くことが可能な仮固定状態に、カードをスライダに対してハーフロックすると共に、スライダがカードの挿入によりコイルばねの弾発付勢力に抗して待機位置から前進位置に押し込まれたときには、可動体の後端が上記支持部に対向して、その支持部が可動体の後退を阻止することによって、カードを後方へ引っ張ったとしても、カードの凹入部が可動体の山形先端部を乗り越えることができず、カードセット位置に挿入されたカードのスライダからの後退を阻止する状態に、カードをスライダに対してフルロックするカードロック機構と、を備えたカードコネクタにおいて、
前進位置に押し込まれた上記スライダの後退をその前進位置で上記コイルばねの弾発付勢力に抗して阻止するためのスライダロック機構であって、上記スライダの後端部に連結されて後方に延び出ていて、後端部に所定長さの幅狭部が具備され、その幅狭部の端部近傍箇所に幅広の突起が備わっており、その突起の前端面が前窄まりに傾斜したガイド面に形成されている杆体と、上記筐体の下板部と上板部にそれぞれ内向きに切起こし形成されて、筐体の左右方向片側において上下方向で対向していて、筐体の左右方向片側において上下方向で対向する開口が具備され、スライダが待機位置に位置しているときに、上記杆体の幅狭部を摺動自在に挾み付ける弾性片とを含み、上記杆体の突起の後端面で形成されているカード挿入方向に対して直角をなす被係止部と、上記各弾性片の開口の後側の口縁で形成されている係止部とで構成され、スライダがカードの挿入によりコイルばねの弾発付勢力に抗して待機位置から前進位置に押し込まれる過程で、上下の弾性片を撓ませながら上記杆体の突起がそれらの弾性片の先端部を上記ガイド面を介して乗り越えて、弾性片の開口に嵌まり込み、上記コイルばねの弾発付勢力によって上記突起の被係止部が上記開口の係止部に係合することによって、前進位置に押し込まれた上記スライダの後退を、上記カードロック機構によりカードがそのスライダに対してフルロックされているその前進位置で上記コイルばねの弾発付勢力に抗して阻止するスライダロック機構と、
押込み操作を通じて上記スライダロック機構のロック状態を解除する操作部材であって、ばね受部を有して上記筺体の後端のばね受部との間に介在された引張りコイルばねによって後方に向けて常時弾発付勢されていて、筺体の内側に配備される端部に先尖り形状に形成されて備わっている作用部が、上記上下の弾性片の後方でそれらの間に離間して対向する初期位置にあり、セット位置に挿入されているカードを排出するときに、上記引張りコイルばねの弾発付勢力に抗して前方へ押し込むことにより、上記作用部が、上下の弾性片の間に分け入り、それらの弾性片を撓み変形させて押し拡げて、上記突起を弾性片の開口から抜け出させ、上記突起の被係止部と上記開口の係止部とを離脱させて両者の係合を解除する操作部材と、を備え、
また上記操作部材は、この操作部材の押し込み操作を通じて上記スライダロック機構のロック状態を解除したときに、上記スライダ側の上記突起の後端面に接近し、上記コイルばねの弾発付勢力によって前進位置から後退してくるスライダ側の上記突起の後端面を受け止める受け部を有し、
この受け部によるスライダの上記突起の後端面の受け止めによって、上記スライダがカードと共に上記操作部材の初期位置への復帰と同調して待機位置まで後退し、このスライダの待機位置への後退によって上記カードロック機構がハーフロック状態になり、カードを引っ張って排出可能にすると共に、スライダの上記突起の後端面を操作部材の上記受け部によって受け止められるスライダ側の当り部として上記スライダロック機構の被係止部と共用していることを特徴とするカードコネクタ。
【発明の詳細な説明】
【０００１】
【発明の属する技術分野】
本発明は、カードコネクタ、特にカードセット位置にセットされたカードを操作部材の押込み操作（プッシュ操作）を通じて排出することのできるカードコネクタに関する。
【０００２】
【従来の技術】
特開平１１−１３５１９２号公報には、カードセット位置に挿入されているカードを操作部材の押込み操作を通じて排出することのできるカードコネクタについての記載がある。また、この公報には、カードをカードセット位置でハーフロックすることについての記載もある。すなわち、この公報に記載されているカードコネクタでは、筐体の挿入口からカードを挿入すると、そのカードが筐体に収容されて後退方向に常時弾発付勢されているスライダに係合してそのスライダを上記弾発付勢力に抗しカードセット位置に対応する前進位置まで押し込むようになっている。また、スライダにカードが係合しているときには、常にカードがスライダにハーフロックされるようになっている。すなわちカードがスライダに引抜き可能に仮固定されるようになっている。
【０００３】
また、カードセット位置に挿入されたカードによって押し込まれたスライダのその位置からの後退を阻止する手段には、ハート形のカム溝とそのカム溝に嵌め込まれたピンとを組み合わせることによって構成されるプッシュ−プッシュ操作によって動作するカム機構が採用されていた。
【０００４】
【発明が解決しようとする課題】
しかしながら、上記公報に記載されている従来のカードコネクタによると、操作部材を押込み操作することによって、カードセット位置でカードをハーフロックしているスライダを後退させてそのスライダと共にカードを排出させると、スライダが後退するときの勢いによってカードがコネクタの後方に飛び出してしまうおそれがあった。
【０００５】
また、カードがカードセット位置に挿入されているときでも、そのカードがスライダに対してハーフロックされているに過ぎなかったので、カードセット位置に挿入されているカードを抜出し方向に無理に引っ張ることによってそのカードが不慮に抜き出されてしまうというおそれがあった。
【０００６】
さらに、カードコネクタが落下などに伴う衝撃を受けると、その衝撃の度合によっては、上記カム機構のピンがカム溝の所定の係合箇所から外れてしまってカードが不慮に排出されてしまうというおそれがあった。
【０００７】
本発明は、以上の状況に鑑みてなされたものであり、操作部材を押込み操作することによってカードセット位置からカードを排出させるときに、常時後方に弾発付勢されているスライダの後退動作を、操作部材の押込み後の後退動作に同調させ、もって、カード排出力を弱めながらカードを排出させることができるようにしてカードの飛び出しを防ぐことのできるカードコネクタを提供することを目的とする。
【０００８】
また、本発明は、カードがカードセット位置に挿入されているときにはカードの無理抜きが不可能になり、しかも、落下などの衝撃を受けても、カードセット位置に挿入されているカードが不慮に排出されるような事態の起こらないカードコネクタを提供することを目的とする。
【０００９】
さらに、本発明は、部品点数をできるだけ増やさずに、カード排出時のカードの飛び出しを防ぐことができると共に、カードの無理抜きが不可能になり、落下などの衝撃によってカードが不慮に排出されるような事態の起こらないように構成することのできるカードコネクタを提供することを目的とする。
【００１０】
【課題を解決するための手段】
図面を参照して本発明のカードコネクタを説明する。なお、この欄で図中の符号を使用したのは、発明の内容の理解を助けるためであって、内容を図例に限定する意図ではない。
【００１１】
本発明に係るカードコネクタは、偏平な箱形に形成されている筺体１であって、上下の各板部と左右の各側板部とを有し、前端部分には必要極数の端子４１を備えたボディ４が組み付けられ、後端には、前端片側のコーナ部分が湾曲面１１０に形成されかつ片側辺部に凹入部１２０が形成されているカード１００の挿入口１５が形成されている筺体１と、
上記筺体１内の片側にカード挿入方向Ａの前後方向にスライド可能に収容され、上記ボディ４との間に介在されたコイルばね４２によって後退方向に向けて常時弾発付勢されて、上記筺体１の片側の側板部に形成された突片２７に当たることによって待機位置に位置決めされるスライダ５であって、筐体１の挿入口１５から挿入されたカード１００の湾曲面１１０が係合する係合面５１を有し、カード１００の挿入によりコイルばね４２の弾発付勢力に抗して待機位置からカードセット位置に対応する前進位置に押し込まれる一方、カードセット位置に挿入されているカード１００を排出するときに、コイルばね４２の弾発付勢力によって前進位置から待機位置に後退するスライダと、
上記スライダ５にカード１００をハーフロック及びフルロックするカードロック機構であって、上記スライダ５に左右方向に貫通して備わる孔部５７に左右方向出退自在に嵌合され、孔部５７に具備された段付部５８と突出方向で係止する段付部６２が具備されると共に、カード１００の凹入部１２０に嵌入する山形先端面６１が備わり、後端６４には凹溝６３が備わっている可動体６と、上記筺体１の片側の側板部に内向きに切起こし形成され、スライダ５が待機位置に位置しているときに上記可動体６の凹溝６３に嵌り込んでその可動体６を筺体１の内方側へ弾発付勢し、スライダ５の孔部５７の段付部５８に可動体６の段付部６２が係合してスライダ５の孔部５７から筺体１の内方側へ可動体６の山形先端面６１が突出する位置にその可動体６を位置決めするばね片２６と、上記筺体１の片側の側板部に外側に膨らみ出して形成されて上記ばね片２６の外側に位置する逃げ部３６と、上記スライダ５が前進位置に位置しているときに可動体６の後端６４が対向する筺体１の側板部の板面によって形成されている支持部２３ａとで構成され、スライダ５が待機位置に位置しているときに、筐体１の挿入口１５から挿入されたカード１００の湾曲面１１０が、可動体６をばね片２６の弾発付勢力に抗してスライダ５の孔部５７に押し込みながらその可動体６を乗り越えてスライダ５の係合面５１に係合したとき、カード１００の凹入部１２０の中に、ばね片２６の弾発付勢力によって可動体６の山形先端面６１が嵌入することによって、カード１００を後方へ引っ張ると、カード１００が可動体６をばね片２６の弾発付勢力に抗してスライダ５の孔部５７に押し込みながら後退してカード１００の凹入部１２０が可動体６の山形先端面６１から抜け出て、カード１００を引き抜くことが可能な仮固定状態に、カード１００をスライダ５に対してハーフロックすると共に、スライダ５がカード１００の挿入によりコイルばね４２の弾発付勢力に抗して待機位置から前進位置に押し込まれたときには、可動体６の後端６４が上記支持部２３ａに対向して、その支持部２３ａが可動体６の後退を阻止することによって、カード１００を後方へ引っ張ったとしても、カード１００の凹入部１２０が可動体６の山形先端部６１を乗り越えることができず、カードセット位置に挿入されたカード１００のスライダ５からの後退を阻止する状態に、カード１００をスライダ５に対してフルロックするカードロック機構と、を備えたカードコネクタにおいて、
前進位置に押し込まれた上記スライダ５の後退をその前進位置で上記コイルばね４２の弾発付勢力に抗して阻止するためのスライダロック機構であって、上記スライダ５の後端部に連結されて後方に延び出ていて、後端部に所定長さの幅狭部５３が具備され、その幅狭部５３の端部近傍箇所に幅広の突起５４が備わっており、その突起５４の前端面が前窄まりに傾斜したガイド面５６に形成されている杆体５２と、上記筐体１の下板部と上板部にそれぞれ内向きに切起こし形成されて、筐体１の左右方向片側において上下方向で対向していて、筐体１の左右方向片側において上下方向で対向する開口２５，３５が具備され、スライダ５が待機位置に位置しているときに、上記杆体５２の幅狭部５３を摺動自在に挾み付ける弾性片２４，３４とを含み、上記杆体５２の突起５４の後端面で形成されているカード挿入方向に対して直角をなす被係止部５５と、上記各弾性片２４，３４の開口２５，３５の後側の口縁で形成されている係止部２５ａ，２５ｂとで構成され、スライダ５がカード１００の挿入によりコイルばね４２の弾発付勢力に抗して待機位置から前進位置に押し込まれる過程で、上下の弾性片２４，３４を撓ませながら上記杆体５２の突起５４がそれらの弾性片２４，３４の先端部を上記ガイド面５６を介して乗り越えて、弾性片２４，３４の開口２５ａ，３５ａに嵌まり込み、上記コイルばね４２の弾発付勢力によって上記突起５４の被係止部５５が上記開口２５，３５の係止部２５ａ，３５ａに係合することによって、前進位置に押し込まれた上記スライダ５の後退を、上記カードロック機構によりカード１００がスライダ５に対してフルロックされているその前進位置で上記コイルばね４２の弾発付勢力に抗して阻止するスライダロック機構と、
押込み操作を通じて上記スライダロック機構のロック状態を解除する操作部材７であって、ばね受部７１を有して上記筺体１の後端のばね受部１３との間に介在された引張りコイルばね７２によって後方に向けて常時弾発付勢されていて、筺体１の内側に配備される端部に先尖り形状に形成されて備わっている作用部７４が、上記上下の弾性片２４，３４の後方でそれらの間に離間して対向する初期位置にあり、セット位置に挿入されているカード１００を排出するときに、上記引張りコイルばね７２の弾発付勢力に抗して前方へ押し込むことにより、上記作用部７４が、上下の弾性片２４，３４の間に分け入り、それらの弾性片２４，３４を撓み変形させて押し拡げて、上記突起５４を弾性片２４，３４の開口２４，３４から抜け出させ、上記突起５４の被係止部５５と上記開口２５，３５の係止部２５ａ，３５ａとを離脱させて両者の係合を解除する操作部材７と、を備え、
また上記操作部材７は、この操作部材７の押し込み操作を通じて上記スライダロック機構のロック状態を解除したときに、上記スライダ５側の上記突起５４の後端面に接近し、上記コイルばね４２の弾発付勢力によって前進位置から後退してくるスライダ５側の上記突起５４の後端面を受け止める受け部７５を有し、
この受け部７５によるスライダ５の上記突起５４の後端面の受け止めによって、上記スライダ５がカード１００と共に上記操作部材７の初期位置への復帰と同調して待機位置まで後退し、このスライダ５の待機位置への後退によって上記カードロック機構がハーフロック状態になり、カード１００を引っ張って排出可能にすると共に、スライダ５の上記突起５４の後端面を、操作部材７の上記受け部７５によって受け止められるスライダ５側の当り部５９として上記スライダロック機構の被係止部５５と共用していることを特徴とするものである。
【００１２】
このため、筐体１の挿入口１５からカード１００を挿入すると、待機位置に位置して常時後退方向に弾発付勢されているスライダ５がその弾発付勢力に抗してカード１００により押し込まれて前進位置まで前進し、カード１００自体もセット位置まで挿入される。こうしてカード１００がセット位置に挿入されると、カードロック機構がカード１００をスライダ５にフルロックすると共に、スライダロック機構がスライダ５を前進位置でロックする。したがって、カード１００がセット位置に挿入されているときにはカード１００の無理抜きが不可能になる。
【００１３】
また、カード１００がセット位置に挿入されているときに操作部材７を押込み操作すると、操作部材７がスライダロック機構のロック状態を解除するので、スライダ５が弾発付勢力によりカード１００と共に待機位置まで後退する。スライダ５が待機位置に位置しているときには、カード１００がハーフロックされているだけであるのでカード１００を引き抜いて排出することが可能である。
【００１４】
また、操作部材７の押込み操作を通じてスライダロック機構のロック状態を解除した際に、弾発付勢力を受けて前進位置から後退してくるスライダ５の上記当り部５９が、押込み操作されている操作部材７の受け部７５で受け止められる。この場合、スライダ５の当り部５９は、押込み操作されてその当り部５９に近い位置まで接近している操作部材７の受け部７５によって受け止められるに過ぎないので、弾発付勢されているスライダ５の当り部５９が操作部材７の受け部７５に受け止められても、カード１００がスライダ５から離れて当該コネクタの後方へ飛び出してしまうという事態は起こらない。また、操作部材７はその受け部７５によってスライダ５の当り部５９を受け止めた後に上記付勢手段の付勢によって後退し、スライダ５がカード１００と共に操作部材７と同調して待機位置まで後退することによって、カード１００がスライダ５にハーフロックされた状態になるので、カード１００を引き抜いて排出することが可能になる。
【００１５】
また、筐体１に係止部２５ａ，３５ａを備える弾性片２４，３４が具備され、上記スライダ５にそのスライダ５が待機位置から前方へ押し込まれたときに上記弾性片２４，３４をその弾性に抗して撓み変形させた後にその弾性片２４，３４の復帰動作を通じて上記係止部２５ａ，３５ａに係止される被係止部５５が具備されると共に、上記スライダロック機構が上記弾性片２４，３４の係止部２５ａ，３５ａによって形成されているため、スライダ５が前進位置に押し込まれたときの被係止部５５と係止部２５ａ，３５ａとの係合動作が確実に行われてスライダロック機構の動作安定性が高まる割に、係止部２５ａ，３５ａや被係止部５５を比較的簡単な構成にすることが可能になる。このような作用は、上記被係止部５５が上記スライダ５に取り付けられてそのスライダ５から後方へ突出された突起５４の後端面によって形成され、その突起５４に、上記スライダ５がカード挿入方向前方へスライドしたときに上記弾性片２４，３４をその弾性に抗して撓み変形させる傾斜したガイド面５６が備わっているという構成によって良好に発揮されるようになる。
【００１６】
また、上記当り部５９と上記被係止部５５とを、上記スライダ５に取り付けられてそのスライダ５から後方へ突出された同一の突起５４の後端面によって共用させることが可能であるので、そうすることによって部品点数を増やさずに当り部５９や被係止部５５を形成することが可能になる。
【００１７】
また、上記弾性片２４，３４が上記筐体１の上板部又は下板部に内向きに切起し形成されていてそれらの弾性片２４，３４に形成された開口２５，３５の口縁によって上記係止部２５ａ，３５ａが形成され、上記操作部材７にその押込み操作を通じて上記弾性片２４，３４と摺動しつつそれらの弾性片２４，３４をその弾性に抗して撓み変形させることにより上記開口２５，３５の口縁を上記突起の後端面から離脱させる先尖り形状の作用部７４が備わっている、という構成によると、作用部７４による係止部２５ａ，３５ａと被係止部５５との係合解除作用が簡単な構成で発揮されるようになる。また、落下などによる衝撃を受けても、操作部材７が不慮に押し込まれてその作用部７４が係止部２５ａ，３５ａと被係止部５５との係合を解除させてしまうというような事態が起こりにくい。したがって、セット位置に挿入されているカード１００が落下などの衝撃によって不慮に排出されるというような事態が起こりにくい。
【００１８】
また、上記受け部７５は上記操作部材７に曲成された突片によって形成することができ、これによると、部品点数を増やさずに受け部７５を形成することが可能になる。
【００１９】
また、上記筐体１に、前進位置から待機位置に後退してきた上記スライダ５に当たってそのスライダ５を待機位置に位置決めする突片２７が曲成されていることが望ましい。これによると、スライダ５の待機位置に位置決めする突片２７として別部品を用いる必要がないので、部品点数の増加が抑えられて価格を安くすることが可能になる。
【００２０】
【発明の実施の形態】
図１〜図４は本発明に係るカードコネクタの実施形態の動作を示した概略水平断面図である。図５は下カバー２の概略平面図、図６は下カバー２の要部拡大図、図７は図６のＶＩＩ−ＶＩＩ線断面図、図８は下カバー２の他の要部拡大図、図９は図８のＩＸ−ＩＸ線断面図、図１０は上カバー３の概略平面図、図１１は図１０のＸＩ−ＸＩ線断面図、図１２は可動体６が組み込まれたスライダ５の平面図、図１３は図１２のＸＩＩＩ−ＸＩＩＩ線断面図、図１４は突片２７の斜視図、図１５は操作部材７の部分平面図、図１６は図１５のＸＶＩ矢視図、図１７〜図１９は作用部７４の動作説明図である。
【００２１】
この実施形態に係るカードコネクタの筐体１は、図５の下カバー２と図１０の上カバー３とを互いに嵌合させることによって偏平な箱形に形成されていて、上下の各板部と左右の各側板部とを有している。具体的には、筐体１の下側の板部が下カバー２の下板部２１によって形成され、上側の板部が上カバー３の上板部３１によって形成され、左右の各側板部が、互いに重なり合った下カバー２の左右の各側板部２２，２３と上カバー３の左右の各側板部３２，３３によって形成されている。そして、図１〜図４のように、筐体１の前端部分に必要極数の端子４１…を備えたボディ４が組み付けられている。
【００２２】
図５〜図７のように、下カバー２の下板部２１に後向きに延び出た弾性片２４が内向き（上向き）に切起し形成されており、この弾性片２４に矩形の開口２５が形成されている。同様に、図１０及び図１１のように、上カバー３の上板部３１に後向きに延び出た弾性片３４が内向き（下向き）に切起し形成されており、この弾性片３４に矩形の開口３５が形成されている。これらの弾性片２４，３４や開口２５，３５は同じ形状及び大きさを有していて、筐体１では、これらの弾性片２４，３４や開口２５，３５がその筐体１の左右方向片側において上下方向で対向している。
【００２３】
また、図５、図８、図９のように、下カバー２の片側の側板部２３に、後向きに延び出たばね片２６が内向き（横内向き）に切起し形成されている。これに対し、図１０のように、上カバー３の片側の側板部３３に外側へ膨らみ出た逃げ部３６が形成されている。そして、図１〜図４で判るように、筐体１では、ばね片２６が上記弾性片２４，３４の形成箇所の少し前側に位置し、かつ、逃げ部３６がばね片２６の外側に位置している。
【００２４】
さらに、図１４のように下カバー２の片側の側板部２３には、内向きに突き出た突片２７が切起し状に曲成されている。この突片２７は、上記弾性片２４の側方に位置している。
【００２５】
図１〜図４のように、筐体１内の片側にスライダ５がカード挿入方向（図２矢印Ａ）の前後にスライド可能に収容されていると共に、このスライダ５が、上記ボディ４との間に介在されたコイルばねでなるばね４２によって後退方向に向けて常時弾発付勢されている。図１２のように、このスライダ５は前端側に近い箇所ほど筐体１の左右方向中央に近付く形状に湾曲した段付状の係合面５１を有している。また、図１〜図４のように、スライダ５の後端部にその後方に延び出る細長い杆体５２が連結されている。この杆体５２は、筐体１に備わっている上記弾性片２４，３４の開口２５，３５に嵌合可能な厚さを有している。図１７〜図１９のように、この杆体５２の後端部に所定長さの幅狭部５３が具備され、その幅狭部５３の端部近傍箇所に幅広の突起５４が備わっている。そして、突起５４の後端面がカード挿入方向Ａに対して直角をなす被係止部５５として形成されていると共に、突起５４の前端面は前窄まりに傾斜したガイド面５６として形成されている。さらに、図１２及び図１３のように、スライダ５には左右方向に貫通する角孔状の孔部５７が備わり、この孔部５７に、山形先端面６１を備えた可動体６が左右方向出退自在に嵌合されている。しかも、上記孔部５７に具備された段付部５８と、可動体６に具備された段付部６２とが係止することによって、可動体６が上記孔部５７から筐体１の内方側へ抜け出さないようになっている。なお、可動体６の後端６４には上記したばね片２６の嵌合可能な凹溝６３が備わっている。
【００２６】
上記したスライダ５は、図１、図２及び図４に示されている待機位置と図３に示されている前進位置との間でカード挿入方向Ａ（図２参照）の前後にスライド可能である。そして、図１、図２及び図４のようにスライダ５が待機位置に位置しているときには、図示のように筐体１のばね片２６が可動体６の凹溝６３（図１３参照）に嵌まり込んでその可動体６を筐体１の内方側へ弾発付勢している。このときには、スライダ５の孔部５７の段付部５８に可動体６の段付部６２が係止して可動体６が筐体１の内方側へ抜け出さないように位置決めされている（図１３参照）。このようにばね片２６によって可動体６が筐体１の内方側へ弾発付勢されている状態は、スライダ５が待機位置に位置しているときだけでなく、スライダ５が待機位置の前方へ移動したときでも、ばね片２６が可動体６に接触して弾圧している限り常に維持される。したがって、このばね片２６による可動体６の弾発付勢状態は、スライダ５が待機位置と前進位置の手前の中間位置との間の箇所に位置しているときに常に維持されるようになる。また、図３のようにスライダ５が前進位置に位置しているときには、可動体６がスライダ５と共に上記ばね片２６よりも前側に移動していて、その可動体６の後端６４が、筐体１の側板部の板面、すなわち下カバー２の側板部２３の内面に対向し、その側板部２３の内面によって筐体１の外方へ可動体６が後退することが阻止されるようになっている。したがって、この実施形態では、上記側板部２３の内面が、スライダ５が前進位置に位置しているときに可動体６が後退することを阻止する支持部２３ａ（図３参照）として形成されている。
【００２７】
図１〜図４のように、筐体１の片側の側板部、すなわち下カバー２の側板部２３と上カバー３の側板部３３の後端部の内側と外側とに跨がって操作部材７が配備されていると共に、この操作部材７のばね受部７１と筐体１の後端のばね受部１３との間に引張りコイルばねでなるばね部材７２が介在されていて、このばね部材７２によって操作部材７がカード挿入方向Ａの後方に向けて常時弾発付勢されている。図１５のように、筐体１の内側に配備される操作部材７の端部７３に作用部７４が一体に形成されている。図１６に示したように、この作用部７４は楔形言い換えると先尖り形状に形成されている。図例では、図１５のように内外一対の作用部７４が操作部材７に備わっており、これら一対の作用部７４が、筐体１に設けられている対称形状の上下一対の弾性片２４，３４の幅方向両端に各別に対応している。また、図１５及び図１６のように、操作部材７のばね受部７１の前側に、そのばね受部７１に連設された受け部７５が曲成されている。
【００２８】
ここで、上記したスライダ５側の突起５４の後端面が、上記受け部７５によって受け止められる当り部５９として形成されている。したがって、この実施形態において、当り部５９と上記した被係止部５５とは、同一の突起５４の後端面によって共用されている。
【００２９】
次に、カード１００は、図２〜図４に示したように、前端片側のコーナ部分が湾曲面１１０に形成されていると共に、片側辺部に凹入部１２０が形成されている。そして、図１のようにスライダ５が待機位置に位置しているときに、カード１００を筐体１の後端に形成されている挿入口１５から図２の矢印Ａのように挿入していくと、カード１００の湾曲面１１０が可動体６をばね片２６の弾性に抗してスライダ５の孔部５７に押し込みながらその可動体６を乗り越えて図２のようにスライダ５の係合面５１に係合する。すなわち、係合面５１にその後方からのみカード１００の湾曲面１１０が突き当たる。また、カード１００の湾曲面１１０がスライダ５の係合面５１に係合したときには、カード１００の凹入部１２０の中に、ばね片２６によって押圧された可動体６の山形先端面６１が図２のように嵌入する。この状態では、カード１００を後方へ強く引っ張ると、カード１００が可動体６をばね片２６の付勢に抗して押し込みながら後退してその凹入部１２０が可動体６の山形先端面６１から抜け出るので、カード１００を引き抜くことが可能である。この状態は、カード１００がスライダ５に対して引抜き可能に仮固定されているだけのロック状態、すなわちハーフロック状態である。このようなハーフロック状態は、図２の状態からカード１００をさらに挿入してスライダ５を上記した中間位置に押し込むまで持続する。
【００３０】
そして、カード１００の挿入によってスライダ５が中間位置を通り過ぎた後、スライダ５が前進位置に到達する。このときには、図３のように、カード１００がカードセット位置で端子４１に重なって端子４１とカード１００側の電極との電気的接続が行われる。また、可動体６は、同図のようにその後端６４が筐体１の側板部の板面によって形成されている支持部２３ａに対向して可動体６の後退が阻止されている。したがって、このときにはカード１００を後方へ強く引っ張ったとしても、カード１００の凹入部１２０が可動体６の山形先端面６１を乗り越えることができないので、カード１００がスライダ５に対してフルロックされる。
【００３１】
一方、スライダ５が上記した待機位置から前進位置まで押し込まれる過程では、スライダ５に連結されている杆体５２も前進するので、当初、図１７のように杆体５２の幅狭部５３を摺動自在に挾み付けていた上下の弾性片２４，３４を撓ませながら突起５４がそれらの弾性片２４，３４の先端部を乗り越えて図１８のように弾性片２４，３４の開口２５，３５に嵌まり込み、しかも、図３などに示したばね４２の弾発力によって突起５４，５４の被係止部５５が開口２５，３５の後側の口縁に係合する。このため、スライダ５の後退が、突起５４，５４の被係止部５５と開口２５，３５の口縁との係合によって阻止され、しかも、カード１００が上記のようにスライダ５に対してフルロックされているので、カード１００を無理抜きすることができなくなる。なお、突起５４，５４が弾性片２４，３４の先端部を乗り越えるときには、突起５４の前窄まりに傾斜したガイド面５６がその乗り越え動作を円滑に行わせることに役立つ。
【００３２】
ここで、突起５４，５４の被係止部５５に係合する開口２５，３５の口縁は、突起５４，５４を係止する係止部２５ａ，３５ａを形成している。そして、それらの係止部２５ａ，３５ａが、前進位置に押し込まれたスライダ５の後退をその前進位置でばね４２の弾発付勢力に抗して阻止するためのスライダロック機構を形成している。
【００３３】
上記セット位置に挿入されているカード１００を排出するときには、図４の矢印Ｂのように操作部材７を初期位置からその前方へ押し込む。こうして操作部材７を押し込むと、初期位置では弾性片２４，３４の後方でそれらに離間して対向していた作用部７４が、図１９のように上下の弾性片２４，３４と摺動しつつそれらの弾性片２４，３４の間に分け入り、それらの弾性片２４，３４を撓み変形させて押し拡げるので、突起５４が弾性片２４，３４の開口２５，３５から抜け出る。このため、突起５４の被係止部５５，５５と弾性片２４，３４の係止部２５ａ，３５ａとが離脱して両者の係合が解除される。この場合、スライダ５の当り部５９は、押込み操作されてその当り部５９に近い位置まで接近している操作部材７の受け部７５によって受け止められるに過ぎないので、弾発付勢されているスライダ５の当り部５９が操作部材７の受け部７５に受け止められても、カード１００がスライダ５から離れて当該コネクタの後方へ飛び出してしまうという事態は起こらない。また、操作部材７はその受け部７５によってスライダ５の当り部５９を受け止めた後にばね部材７２の付勢によって後退されるので、スライダ５がカード１００と共に操作部材７と同調して図４で示した待機位置まで後退し、カード１００がスライダ５にハーフロックされた状態になる。したがって、このときには、カード１００を強く引っ張ってカード１００を排出することが可能である。なお、スライダ５は、そのスライダ５が図４のように突片２７に当たることによって待機位置に位置決めされる。
【００３４】
この実施形態において、上記した可動体６と、可動体６を突出方向に弾発付勢するばね片２６によって形成されているばね体と、可動体６の後退を阻止する支持部２３ａとが、スライダ５に対してカード１００をハーフロックしたりフルロックしたりするためのカードロック機構の構成要素になっている。また、上記した操作部材７と作用部７４とばね部材７２とが係合解除機構の構成要素になっている。
【００３５】
この実施形態では、動作の安定性及び信頼性を高めるために係止部２５ａ，３５ａを備えた弾性片２４，３４や被係止部５５を備えた突起５４を上下に各一対ずつ備えているけれども、この点は、弾性片や突起を上側だけ又は下側だけに設けておいてもよい。
【００３６】
【発明の効果】
本発明によれば、操作部材を押込み操作することによってカードセット位置からカードを排出させるときに、常時後方に弾発付勢されているスライダの後退動作を、操作部材の押込み後の後退動作に同調させ、もって、カード排出力を弱めながらカードを排出させることのできるようにしてあるので、カードの排出時にカードが当該コネクタの後方に飛び出すという事態を確実に防止することが可能になる。
【００３７】
また、セット位置に挿入されたカードが前進位置に位置しているスライダにフルロックされ、しかも、前進位置に位置しているスライダが係止部と被係止部との係合によって後退不可能になるので、カードがセット位置から無理抜きされるという事態が起こり得ない。また、係止部と被係止部との係合を解除するための操作部材の作用部は、初期位置では係止部と被係止部との係合箇所から離間した箇所に位置しているので、落下などの衝撃によっても係止部と被係止部との係合が解除されるという事態は起こりにくくなる。これらのことから、セット位置に挿入されているカードが無理抜きされたり衝撃によって不慮に排出されたりすることがなくなる。さらに、本発明によれば、部品点数をできるだけ増やさずに、カードの無理抜きが不可能になり、落下などの衝撃によってカードが不慮に排出されるような事態の起こらないように構成することのできるカードコネクタを提供することが可能になる。
【図面の簡単な説明】
【図１】  本発明に係るカードコネクタのカード未挿入状態での概略水平断面図である。
【図２】  同カードコネクタのカード挿入途中での概略水平断面図である。
【図３】  同カードコネクタでカードがカードセット位置に挿入されている状態の概略水平断面図である。
【図４】  同カードコネクタで操作部材が押込み操作され直後の状態の概略水平断面図である。
【図５】  下カバーの概略平面図である。
【図６】  下カバーの要部拡大図である。
【図７】  図６のＶＩＩ−ＶＩＩ線断面図である。
【図８】  下カバーの他の要部拡大図である。
【図９】  図８のＩＸ−ＩＸ線断面図である。
【図１０】  上カバーの概略平面図である。
【図１１】  図１０のＸＩ−ＸＩ線断面図である。
【図１２】  可動体が組み込まれたスライダの平面図である。
【図１３】  図１２のＸＩＩＩ−ＸＩＩＩ線断面図である。
【図１４】  突片の斜視図である。
【図１５】  操作部材の部分平面図である。
【図１６】  図１５のＸＶＩ矢視図である。
【図１７】  図１及び図２での弾性片の状態や作用部の位置などを示した説明図である。
【図１８】  図３での弾性片の状態や作用部の位置などを示した説明図である。
【図１９】  作用部が弾性片の間に分け入った状態を示した説明図である。
【符号の説明】
１  筐体
４  ボディ
５  スライダ
６  可動体
７  操作部材
１３  バネ受部
１５  挿入口
２３ａ  支持部
２４，３４  弾性片
２５，３５  開口
２５ａ  ３５ａ  係止部（スライダロック機構）
２６  ばね片（ばね体）
２７  突片
３６
４１  端子
４２  コイルばね
５１  係合面
５２  杆体
５３  幅狭部
５４  突起
５５  被係止部
５６  ガイド面
５７  孔部
５８  段付部
５９  当り部
６１  山形先端面
６２  段付部
６３  凹溝
６４  後端
７１  ばね受部
７２  引っ張りコイルばね
７４  作用部
７５  受け部
１００  カード
１１０  湾曲面
１２０  凹入部
Ａ  カード挿入方向
【図１】
0003834470.tif 000002
【図２】
0003834470.tif 000003
【図３】
0003834470.tif 000004
【図４】
0003834470.tif 000005
【図５】
0003834470.tif 000006
【図６】
0003834470.tif 000007
【図７】
0003834470.tif 000008
【図８】
0003834470.tif 000009
【図９】
0003834470.tif 000010
【図１０】
0003834470.tif 000011
【図１１】
0003834470.tif 000012
【図１２】
0003834470.tif 000013
【図１３】
0003834470.tif 000014
【図１４】
0003834470.tif 000015
【図１５】
0003834470.tif 000016
【図１６】
0003834470.tif 000017
【図１７】
0003834470.tif 000018
【図１８】
0003834470.tif 000019
【図１９】
0003834470.tif 000020